(57)【特許請求の範囲】
【請求項１】
上下両端を開口しかつ下端部を細く形成した中空のホッパ６をケース１８で覆う貯米部３と、米を洗浄する洗浄部４と、炊飯する炊飯部５とを備え、前記ケ−ス１８の前壁には操作パネル１７を着脱自在に設け、該操作パネル１７は炊飯条件、洗い方、水加減、浸漬時間等を設定する各種のスイッチを配置したスイッチ部Ａと、炊飯部５の釜数や炊飯作業状態などを表示する表示具を有する表示部Ｂとを分けて設け、前記スイッチ部Ａには炊飯条件としての「升」を表示する表示具１９と「ｋｇ」を表示する表示具２０とを上下に配置し、それぞれの量に対応する表示ランプＬを設け、表示具１９の横側方に「升」の単位を選択すると共に炊飯量を選択できる升スイッチ２１を設け、表示具２０の横側方に「ｋｇ」の単位を選択すると共に炊飯量を選択できるキログラムスイッチ２２を設けたことを特徴とする自動炊飯装置。
【発明の詳細な説明】
【０００１】
【発明の属する技術分野】
この発明は、自動計量した米を洗浄し、炊飯する自動炊飯装置に関する。
【０００２】
【従来の技術】
炊飯量を設定する場合、１個の単位で表示する構成である。
【０００３】
【発明が解決しようとする課題】
然し乍ら、使用する場所によっては、別の単位で管理する方が便利であるが、それを他の単位に換算するのに手間がかかり利便性に劣る。
【０００４】
【課題を解決するための手段】
この発明は、このような課題を解決する自動炊飯装置を提供するものであって、つぎのような技術的手段を講じた。すなわち、上下両端を開口しかつ下端部を細く形成した中空のホッパ６をケース１８で覆う貯米部３と、米を洗浄する洗浄部４と、炊飯する炊飯部５とを備え、前記ケ−ス１８の前壁には操作パネル１７を着脱自在に設け、該操作パネル１７は炊飯条件、洗い方、水加減、浸漬時間等を設定する各種のスイッチを配置したスイッチ部Ａと、炊飯部５の釜数や炊飯作業状態などを表示する表示具を有する表示部Ｂとを分けて設け、前記スイッチ部Ａには炊飯条件としての「升」を表示する表示具１９と「ｋｇ」を表示する表示具２０とを上下に配置し、それぞれの量に対応する表示ランプＬを設け、表示具１９の横側方に「升」の単位を選択すると共に炊飯量を選択できる升スイッチ２１を設け、表示具２０の横側方に「ｋｇ」の単位を選択すると共に炊飯量を選択できるキログラムスイッチ２２を設けたことを特徴とする自動炊飯装置とする。
【０００５】
【発明の作用】
まず、炊飯量や洗い方や等の作業条件をセットしてから作業スイッチを入りにして作業を開始すると、自動計量された米を洗浄部２に供給し、そして、給水源から送られてきた水と洗浄手段により洗浄された後に炊飯部に送り込まれて炊飯される。
【０００６】
このような、炊飯作業において、炊飯量を設定するとき、例えば、「升」の単位での炊飯量を設定する場合、升スイッチ２１を入りにして押すと、表示具１９のランプＬが点灯するので、一回または複数回押すことによりランプＬの点灯位置が移動する。その後、所望の炊飯量に対応する位置、例えば、３升炊飯する場合には、「３」の表示に対応するランプＬが点灯したとき、升スイッチ２１の操作を停止する。
「ｋｇ」の単位での炊飯量を設定する場合、キログラムスイッチ２２を押すと、表示具２０のランプＬが点灯するので、前記と同様に一回または複数回押すことによりランプＬの点灯位置が移動する。その後、所望の炊飯量に対応する位置、例えば、４．９ｋｇを炊飯する場合には、「４．９」の表示に対応するランプＬが点灯したとき、キログラムスイッチ２２の操作を停止する。
【０００７】
【発明の効果】
上下両端を開口しかつ下端部を細く形成した中空のホッパ６をケース１８で覆う貯米部３と、米を洗浄する洗浄部４と、炊飯する炊飯部５とを備え、前記ケ−ス１８の前壁には操作パネル１７を着脱自在に設け、該操作パネル１７は炊飯条件、洗い方、水加減、浸漬時間等を設定する各種のスイッチを配置したスイッチ部Ａと、炊飯部５の釜数や炊飯作業状態などを表示する表示具を有する表示部Ｂとを分けて設け、前記スイッチ部Ａには炊飯条件としての「升」を表示する表示具１９と「ｋｇ」を表示する表示具２０とを上下に配置し、それぞれの量に対応する表示ランプＬを設け、表示具１９の横側方に「升」の単位を選択すると共に炊飯量を選択できる升スイッチ２１を設け、表示具２０の横側方に「ｋｇ」の単位を選択すると共に炊飯量を選択できるキログラムスイッチ２２を設けたことで表示手段には所望の単位で表示されるので、作業者は炊飯量の設定を行い易く、作業能率を高め得る。
【０００８】
【発明の実施の形態】
以下、本発明の実施の形態を図面に基づいて具体的に説明する。まず、その構成について説明すると、自動炊飯装置１はフレ−ム２に貯米部３と洗浄部４と炊飯部５とを上側から順次配設し、炊飯部５を前後方向に移動可能に設けている。
【０００９】
そして、この貯米部３は上下両端を開口しかつ下端部を細く形成した中空のホッパ６、後述する洗浄タンク７とを連通する連通路に外面の一部に受け孔８を有し回転可能に設けている円筒形の給米体９とを備えている。洗浄部４は下部を細く形成し且つ前記貯米部３と一体に構成した中空の洗浄タンク７と、該洗浄タンク７の中央部に設けた撹拌装置１０と、洗浄タンク７の下端部に着脱自在に取り付けたジャケット１１の排米口１２を開閉する投下弁１３等を備えている。そして、該撹拌装置１０はモ−タ１４を駆動源として回転可能に設け且つ縦方向に軸芯を有する中空の撹拌軸１５と、該撹拌軸１５に取付けた撹拌体１６とを具備している。
【００１０】
１７はホッパ６を覆うケ−ス１８の前壁に着脱自在に設けた操作パネルであって、炊飯条件、洗い方、水加減、浸漬時間等を設定する各種のスイッチを配置したスイッチ部Ａ、釜数や吸い反作業状態などを表示する表示具を有する表示部Ｂを設けている。そして、スイッチ部Ａの炊飯条件として、「升」を表示する表示具（２，２．５，３，３．５，４）１９と「ｋｇ」を表示する表示具（２．８，３．５，４．２，４．９，５．６）２０とを上下に配置し、それぞれの量に対応する表示ランプＬを設けている。また、表示具１９の横側方に「升」の単位を選択すると共に炊飯量を選択できる升スイッチ２１を設け、表示具２０の横側方に「ｋｇ」の単位を選択すると共に炊飯量を選択できるキログラムスイッチ２２を設けている。なお、表示具は単位に対してそれぞれ設けているが、一個の表示具でもよい。
【００１１】
投下弁１３はモ−タ２３を駆動源とし撹拌軸１５の内部を昇降する弁軸２４の下端部に着脱自在に設けている。そして、洗浄タンク７の上部には後部にオ−バ−フロ−管２５により前記ジャケット１３と連通している矩形上のオ−バ−フロ−口２６を設けている。ジャケット１１の中間部側壁に排水口２７を設け、ソレノイド２８により作動する作動機構を介して開閉する排水口開閉弁２９を設けている。
【００１２】
炊飯部３は加熱手段をガス、電気等としており、外釜３０、内釜３１、内釜３１を開閉する蓋３２等を有する炊飯器３３を備えている。なお、自動炊飯装置１の作業は、図示していないが、マイクロコンピュ−タによって管理され、計量から炊飯まで行われる。つぎに、その作用について説明する。
【００１３】
まず、作業者は操作パネル１７のスイッチ部Ａのスイッチを操作して炊飯条件を設定し、米供給スイッチを入りにする。このとき、「升」の単位での炊飯量を設定する場合、升スイッチ２１を入り（実施例では押す）にして押すと、表示具１９のランプＬが点灯するので、一回または複数回押すことによりランプＬの点灯位置が移動する。その後、所望の炊飯量に対応する位置、例えば、３升炊飯する場合には、「３」の表示に対応するランプＬが点灯したとき、升スイッチ２１の操作を停止する。
【００１４】
また、「ｋｇ」の単位での炊飯量を設定する場合、キログラムスイッチ２２を押すと、表示具２０のランプＬが点灯するので、前記と同様に一回または複数回押すことによりランプＬの点灯位置が移動する。その後、所望の炊飯量に対応する位置、例えば、４．９ｋｇを炊飯する場合には、「４．９」の表示に対応するランプＬが点灯したとき、キログラムスイッチ２２の操作を停止すればよい。
【００１５】
したがって、作業者が管理し易い炊飯量で作業を行なうことができるので、炊飯量を誤ることがなく、作業能率の向上を図れる。なお、実施例では、「升」を選択する升スイッチ２１と「ｋｇ」を選択するキログラムスイッチ２２とを別個に設けているが、切替スイッチによって「升」または「ｋｇ」のいずれかを選択し、別に設けたスイッチの操作により炊飯量を設定する構成もこの発明に含まれることは勿論である。
【００１６】
そして、スタ−トスイッチを入りにすると、出力インタ−フェイスを介してＣＰＵから駆動指令信号を受けたモ−タを起動して給米体９を駆動しホッパ６に貯留している米を供給する。そして、給米体９の回転数が所定回転数になると、ＣＰＵはモ−タに停止信号を出力しモ−タの駆動を停止する。そして、ＣＰＵは電磁弁（図示せず）へ「開」信号を出力し、また、モ−タ１４が起動するので、給水源から送られてきた水は管を通ってノズルからタンク内に散水すると共に撹拌軸１５の回転により撹拌体１６は水及び米を撹拌し洗浄する。この洗浄作業において、撹拌体１６は横方向に揺動するので、撹拌力を高めて洗浄効果を向上する。
【００１７】
この時、生じた汚水は洗浄タンク７からジャケット１１の排水口２７を通って機外に排出される。洗浄作業を終えると、電磁弁が閉じると共に、モ−タ１４の駆動を停止するので、給水と撹拌を停止する。タンク内の汚水が排水されると（実施例では時間で管理している）、電磁弁が開き、励磁したソレノイド２８によりが排水口開閉弁２９は移動して排水口２７を閉じるので、送られてきた水は管のノズルからタンク内に供給され、洗浄タンク７に水を貯留する。そして、所定時間になると、電磁弁を閉じ、給水作業を終了する。
【００１８】
つぎに、ＣＰＵから出力インタ−フェイスを介して駆動指令信号を受けたモ−タ２３は起動して弁軸２４及び投下弁１３を下降して排米口１２を開放する。すると、洗浄タンク７の米と水は落下して下方の炊飯部５の炊飯器３３に収容され、その後炊飯される。
【図面の簡単な説明】
【図１】 自動炊飯装置の正面図。
【図２】 一部切除したタンクの側断面図。
【図３】 操作パネルの正面図。
【符号の説明】
１ 自動炊飯装置
【図１】
0003823561.tif 000002
【図２】
0003823561.tif 000003
【図３】
0003823561.tif 000004